(57)【特許請求の範囲】
【請求項１】
おむつ本体と、付着部をそれぞれ有し、前記おむつ本体の縦方向の後方側の部分における横方向の両側において前記縦方向に間隔をあけて設けられた上側ファスニング部及び下側ファスニング部と、前記おむつ本体の前方側の部分における外面側に設けられ、前記上側ファスニング部及び前記下側ファスニング部の前記付着部が着脱自在に付着される被付着部と、を備える使い捨ておむつであって、
前記上側ファスニング部と前記下側ファスニング部とは、色彩、模様、形状及びサイズのうちの少なくともいずれか１つが互いに異なっており、
前記下側ファスニング部に順番を示す第１の順番記号を付与し、前記上側ファスニング部に前記第１の順番記号よりも後の順番を示す第２の順番記号を付与することを特徴とする使い捨ておむつ。
【請求項２】
請求項１に記載の使い捨ておむつにおいて、
前記上側ファスニング部と前記下側ファスニング部とは、前記横方向及び前記縦方向の一方又は両方に沿ったサイズが互いに異なっていることを特徴とする使い捨ておむつ。
【請求項３】
請求項１又は請求項２に記載の使い捨ておむつにおいて、
前記上側ファスニング部及び前記下側ファスニング部は、
前記おむつ本体の前記縦方向の後方側の部分における前記横方向の両側の縁部にそれぞれ接合された左右のファスニング基材の前記横方向の外方側の縁部から、前記縦方向に間隔をあけて前記横方向の外方側に延設されていることを特徴とする使い捨ておむつ。
【請求項４】
請求項１又は請求項２に記載の使い捨ておむつにおいて、
前記上側ファスニング部及び前記下側ファスニング部は、
前記おむつ本体の前記縦方向の後方側の部分における前記横方向の両側の縁部に、前記縦方向に間隔をあけて接合されていることを特徴とする使い捨ておむつ。
【発明の詳細な説明】
【技術分野】
【０００１】
本発明は、いわゆるテープタイプの使い捨ておむつに関する。
【背景技術】
【０００２】
大人用のテープタイプの使い捨ておむつでは、ベビー用に比べてサイズが大きいため、ファスニング部を左右に２つずつ設ける場合が多い（例えば、特許文献１）。
【先行技術文献】
【特許文献】
【０００３】
【特許文献１】特開２０１０−２２４７９号公報
【発明の概要】
【発明が解決しようとする課題】
【０００４】
ところで、テープタイプのおむつにおいて尿等の排泄物の漏れが発生しやすい部分としては、おむつと身体との隙間が生じやすい股間部の左右両側の縁部が最も多い。この部分での漏れを防止するためには、装着の際、おむつの左右両側の縁部を着用者の脚周り（特に、鼠蹊部）に密着させて隙間が生じないようにする必要がある。
【０００５】
特に、４つのファスニング部が設けられたおむつの場合、上下のファスニング部を被付着部に付着させる際の要領が非常に重要である。病院又は介護施設等の介護の現場では、おむつの装着時の要領について、経験的に例えば次のような工夫が行われている。下側の２つのファスニング部は、おむつの左右両側の縁部で着用者の脚周り（特に、鼠蹊部）を締め付けるようにして張力を付与した状態で被付着部に付着させる。上側の２つのファスニング部は、着用者の腰周りを締め付けようにして張力を付与した状態で被付着部に付着させ、これによっておむつの上下のズレ（特に、下側へのズレ）を抑制する。また、上側のファスニング部よりも先に下側のファスニング部を被付着部に装着する方が、おむつを身体に密着させやすいと共に、おむつによる身体の適度な締め付けが得られやすい。
【０００６】
しかし、介護等を専門的に行っている現場では、上下のファスニング部を固定する際の上記の工夫等が経験又は指導等により比較的容易に取り入れられるが、一般の家庭で家族が介護を行う場合等では、上記のような工夫がなされず、排泄物の漏れが発生する頻度が高い。
【０００７】
そこで、本発明の解決すべき課題は、上下のファスニング部の役割及び装着時の要領について、一般の作業者の理解を効果的に支援できる使い捨ておむつを提供することである。
【課題を解決するための手段】
【０００８】
上記の課題を解決するため、請求項１の発明では、おむつ本体と、付着部をそれぞれ有し、前記おむつ本体の縦方向の後方側の部分における横方向の両側において前記縦方向に間隔をあけて設けられた上側ファスニング部及び下側ファスニング部と、前記おむつ本体の前方側の部分における外面側に設けられ、前記上側ファスニング部及び前記下側ファスニング部の前記付着部が着脱自在に付着される被付着部とを備える使い捨ておむつであって、前記上側ファスニング部と前記下側ファスニング部とは、色彩、模様、形状及びサイズのうちの少なくともいずれか１つが互いに異なっており、前記下側ファスニング部に順番を示す第１の順番記号を付与し、前記上側ファスニング部に前記第１の順番記号よりも後の順番を示す第２の順番記号を付与する。
【０００９】
また、請求項２の発明では、請求項１の発明に係る使い捨ておむつにおいて、前記上側ファスニング部と前記下側ファスニング部とは、前記横方向及び前記縦方向の一方又は両方に沿ったサイズが互いに異なっている。
【００１０】
また、請求項３の発明では、請求項１又は請求項２の発明に係る使い捨ておむつにおいて、前記上側ファスニング部及び前記下側ファスニング部は、前記おむつ本体の前記縦方向の後方側の部分における前記横方向の両側の縁部にそれぞれ接合された左右のファスニング基材の前記横方向の外方側の縁部から、前記縦方向に間隔をあけて前記横方向の外方側に延設されている。
【００１１】
また、請求項４の発明では、請求項１又は請求項２の発明に係る使い捨ておむつにおいて、前記上側ファスニング部及び前記下側ファスニング部は、前記おむつ本体の前記縦方向の後方側の部分における前記横方向の両側の縁部に、前記縦方向に間隔をあけて接合されている。
【発明の効果】
【００１２】
請求項１ないし請求項４に記載の発明に係る使い捨ておむつによれば、上側ファスニング部と下側ファスニング部とが、色彩、模様、形状及びサイズのうちの少なくともいずれか１つについて互いに異なっている。このため、このような相違に基づき、上側ファスニング部と下側ファスニング部の役割及び装着時の要領について、一般の作業者の理解を効果的に支援できる。
【００１３】
また、使い捨ておむつの販売時に包装材又は説明書等に記載される説明書き、あるいは店頭での販売員による口頭での説明などにおいて、上側ファスニング部と下側ファスニング部の色彩等の相違に基づいて、上側ファスニング部と下側ファスニング部の役割及び装着時の要領についての説明が容易になる。
【００１４】
また、下側ファスニング部に順番を示す第１の順番記号が付与され、上側ファスニング部に第１の順番記号よりも後の順番を示す第２の順番記号が付与されている。それ故、上側ファスニング部と下側ファスニング部の装着順序について、好ましい装着の順番を一般の作業者に容易に理解させることができる。
【図面の簡単な説明】
【００１５】
【図１】本発明の一実施形態に係る使い捨ておむつが平面状に展開されたときの要部の構成を示す平面図である。
【図２】図１の使い捨ておむつのファスニング部材が付着シートに付着された状態を示す図である。
【図３】図１及び図２に示す構成の変形例を示す図である。
【図４】図１及び図２に示す構成の他の変形例を示す図である。
【図５】図１及び図２に示す構成のさらに他の変形例を示す図である。
【発明を実施するための形態】
【００１６】
図１及び図２を参照して、本発明の一実施形態に係る使い捨ておむつ（以下、単に「おむつ」という）の構成について説明する。なお、本明細書において、横方向Ｘ及び縦方向Ｙは、おむつ１０が図１のように展開された状態を基準としており、横方向Ｘは着用者の左右方向に対応しており、縦方向Ｙは着用者の前後方向又は上下方向にそれぞれ対応している。また、本明細書における上側とは着用者の頭側に対応しており、下側とは着用者のつま先側に対応している。
【００１７】
このおむつ１０は、図１及び図２に示すように、おむつ本体１１と、左右のファスニング部材１２と、本発明に係る被付着部に相当する付着シート１３とを備えて構成されている。
【００１８】
おむつ本体１１は、内側シート部材２１と、外側シート部材２２と、吸収コア２３とを備えて構成され、着用者の股部を含む領域にあてがわれる。内側シート部材２１は、少なくとも横方向Ｘの中央部が透液性を有している。内側シート部材２１には、伸張された状態で弾性部材２１１が付与された左右の起立シート部２１２が設けられている。外側シート部材２２は、不透液性を有し、吸収コア２３の外面側に配置されている。内側シート部材２１及び外側シート部材２２は、吸収コア２３を挟み込むようにして接着剤によって接合される。吸収コア２３は、着用者が排泄した排泄液（例えば、尿又は便に含まれる水分等）を吸収する。より具体的には、吸収コア２３は、吸液ポリマー及び集合された繊維の集合体からなる繊維集合体の少なくともいずれか一方を備えて構成される。また、このおむつ１０では、おむつ本体１１の前側及び後側の縁部に沿ってウエスト弾性部材２４が伸張された状態で付与されている。また、おむつ本体１１の左右の脚周りには、レッグ弾性部材２５が伸張された状態で付与されている。
【００１９】
左右のファスニング部材１２は、おむつ本体１１の縦方向Ｙの後方側に位置する後側部分における横方向Ｘの両側の縁部に接合に接合され、おむつ１の着用者の身体への固定に用いられる。より具体的には、各ファスニング部材１２は、ファスニング基材３１と、本発明に係る付着部に相当する略シート状の付着エレメント３２とを備えている。
【００２０】
ファスニング基材３１は、不織布等により形成されたシート状の部材であり、本体部３１１と、上側舌片部３１２と、下側舌片部３１３とを有している。本体部３１１の横方向Ｘの内方側の部分は、おむつ本体１１の内側シート部材２１と外側シート部材２２との間に挟み込まれた状態で接着剤等の接合手段によりおむつ本体１１と接合される。上側舌片部３１２及び下側舌片部３１３は、本体部３１１の横方向Ｘの外方側の端部から縦方向Ｙに互いに間隔をあけて横方向Ｘの外方側に延設されている。
【００２１】
付着エレメント３２は、後述する付着シート１３に対して着脱自在に付着可能となっており、ファスニング基材３１の上側舌片部３１２及び下側舌片部３１３の肌面側に接着剤等の接合手段によりそれぞれ接合されている。
【００２２】
そして、上側舌片部３１２と、その上側舌片部３１２に付与された付着エレメント３２とによって上側ファスニング部４１が構成されている。また、下側舌片部３１３と、その下側舌片部３１３に付与された付着エレメント３２とによって下側ファスニング部４２が構成されている。
【００２３】
付着エレメント３２と後述する付着シート１３とは、着脱自在に係合するループ材とフック材とによって構成されるいわゆる面ファスナーを構成しており、例えば、付着エレメント３２にフック材が用いられ、付着シート１３にループ材が用いられる。付着シート１３の表面には、複数のループ構造が形成されている。付着エレメント３２の表面には、付着シート１３のループ構造に着脱自在に係合する複数のフック構造が形成されている。なお、変形例として、付着エレメント３２にループ材を用い、付着シート１３にフック材を用いてもよい。また、付着エレメント３２及び付着シート１３として、互いに着脱自在に付着できれば面ファスナーに限らず、任意の構成を採用できる。例えば、付着エレメント３２及び付着シート１３として、粘着テープ及びその粘着テープが着脱自在に付着される付着シートを用いてもよい。
【００２４】
付着シート１３は、シート状の形態を有し、外側シート部材２２の外面側における前側の部分に接合されており、左右のファスニング部材１２に付与された付着エレメント３２が着脱自在に付着される。
【００２５】
また、左右のファスニング部材１２において、上側ファスニング部４１と下側ファスニング部４２とは、色彩、模様、形状及びサイズのうちの少なくともいずれか１つが互いに異なっている。なお、本明細書において、模様とはファスニング部４１，４２に付与される文字及び数字等の記号、並びに絵柄等を含む。
【００２６】
図１及び図２に示す例では、上側ファスニング部４１の色彩と下側ファスニング部４２の色彩とが異なっている。より具体的には、上側ファスニング部４１を構成する上側舌片部３１２の外面側の表面、肌面側の表面又はそれら両側の表面の色彩と、それに対応する下側ファスニング部４２を構成する下側舌片部３１３の外面側の表面、肌面側の表面又はそれら両側の表面の色彩とが異なっている。例えば、上側舌片部３１２の外面側の表面、肌面側の表面又はそれら両側の表面に青色の色彩が付与され、それに対応する下側舌片部３１３の外面側の表面、肌面側の表面又はそれら両側の表面に赤色の色彩が付与されている。なお、上側及び下側舌片部３１２，３１３への色彩の付与は、舌片部３１２，３１３を着色料により特定の色彩に着色してもよく、あるいは、特定の色彩に着色されたシート片を舌片部３１２，３１３に貼着してもよい。また、変形例として、上側舌片部３１２に付与する付着エレメント３２の色彩と、下側舌片部３１３に付与する付着エレメント３２の色彩とを互いに異ならせてもよい。
【００２７】
他の例として、上側ファスニング部４１の外面側の表面、肌面側の表面又はそれら両側の表面と、それに対応する下側ファスニング部４２の外面側の表面、肌面側の表面又はそれら両側の表面とに異なる記号（例えば、文字又は数字等）、又は絵柄等を付与してもよい。例えば、図３に示すように、下側ファスニング部４２（例えば、その外面側の表面）に順番を示す第１の順番記号４６を付与し、上側ファスニング部に第１の順番記号４６よりも後の順番を示す第２の順番記号４７を付与してもよい。より具体的には、図３の図示例では、第１の順番記号４６として数字の「１」が付与され、第２の順番記号４７として数字の「２」が付与されている。順番記号４６，４７の変形例としては、第１の順番記号４６に「Ａ」、第２の順番記号４７に「Ｂ」を用いる構成、及び、第１の順番記号４６に「先」、第２の順番記号４７に「後」を用いる構成などが挙げられる。
【００２８】
また他の例として、上側ファスニング部４１を構成する上側舌片部３１２の外形形状と下側ファスニング部４２を構成する下側舌片部３１３の外形形状とを異ならせてもよい。
【００２９】
さらに他の例として、上側ファスニング部４１の横方向Ｘ、縦方向Ｙ又はそれらの両方向Ｘ，Ｙに沿ったサイズと、それに対応する下側ファスニング部４２の横方向Ｘ、縦方向Ｙ又はそれらの両方向Ｘ，Ｙに沿ったサイズとを異ならせてもよい。例えば、図４に示すように、下側ファスニング部４２の横方向Ｘに沿ったサイズを、上側ファスニング部４１の横方向Ｘに沿ったサイズより小さくしてもよい。
【００３０】
以上のように、本実施形態に係るおむつ１０によれば、上側ファスニング部４１と下側ファスニング部４２とに対して施された上記の相違に基づき、上側ファスニング部４１と下側ファスニング部４２の役割及び装着時の要領について、一般の作業者の理解を効果的に支援できる。
【００３１】
また、おむつ１０の販売時に包装材又は説明書等に記載される説明書き、あるいは店頭での販売員による口頭での説明などにおいて、上側ファスニング部４１と下側ファスニング部４２の色彩等の相違に基づいて、上側ファスニング部４１と下側ファスニング部４２の役割及び装着時の要領についての説明が容易になる。
【００３２】
また、下側ファスニング部４２及び上側ファスニング部４１に順番を示す第１の順番記号４６及び第２の順番記号４７を付与した構成では、上側ファスニング部４１と下側ファスニング部４２の付着シート１３への装着順序について、好ましい装着の順番を一般の作業者に容易に理解させることができる。
【００３３】
なお、上述のおむつ１０ではおむつ本体１１に接合されたファスニング基材３１の本体部３１１から横方向Ｘの外方側に延設された上側舌片部３１２及び下側舌片部３１３をベースにして、上側ファスニング部４１及び下側ファスニング部４２をそれぞれ構成した。この点に関する変形例として、図５に示すように、おむつ本体１１に接合され、おむつ本体１１から横方向Ｘの外方側に延びる上側舌片部３１２及び下側舌片部３１３をベースにして、上側ファスニング部４１及び下側ファスニング部４２をそれぞれ構成してもよい。
【符号の説明】
【００３４】
１０  おむつ、１１  おむつ本体、１２  ファスニング部材、１３  付着シート、２１  内側シート部材、２１１  弾性部材、２１２  起立シート部、２２  外側シート部材、２３  吸収コア、２４  ウエスト弾性部材、２５  レッグ弾性部材、３１  ファスニング基材、３１１  本体部、３１２  上側舌片部、３１３  下側舌片部、３２  付着エレメント、４１  上側ファスニング部、４２  下側ファスニング部、４６  第１の順番記号、４７  第２の順番記号、Ｘ  横方向、Ｙ  縦方向。
【図１】
0005528189.tif 000002
【図２】
0005528189.tif 000003
【図３】
0005528189.tif 000004
【図４】
0005528189.tif 000005
【図５】
0005528189.tif 000006